(57)【特許請求の範囲】
【請求項１】
毛髪処理剤がエアゾールバルブを備えたスプレー容器に充填されたエアゾール毛髪化粧料であって、スプレー方向がスプレー容器の上方となるように、エアゾールバルブのステムに連通接続された噴霧ノズル体の噴口の軸方向がスプレー容器の長手方向に対して０度以上９０度未満の範囲に設けられており、該噴霧ノズル体の周囲に環状の押圧部材が設けられており、該噴霧ノズル体の先端部が押圧部材の押圧面より少なくとも５ｍｍ以上突出しており、該エアゾールバルブのハウジング孔径（Ｈｇ）とベーパータップ孔径（Ｖｔ）との比（Ｈｇ／Ｖｔ）が１．０〜２．５であり、そして該押圧部材の上面である押圧面の任意の部位を押圧することにより噴口から毛髪処理剤がスプレーされることを特徴とするエアゾール毛髪化粧料。
【請求項２】
噴霧ノズル体の先端部の軸方向が、スプレー容器の長手方向に対して０度以上９０度未満の範囲で固定又は可変に設けられている請求項１記載のエアゾール毛髪化粧料。
【請求項３】
スプレー容器の底から押圧部材の押圧面までの高さが１８ｃｍ以下である請求項１又は２記載のエアゾール毛髪化粧料。
【請求項４】
スプレー容器の直径が４６ｍｍ以下である請求項１〜３のいずれかに記載のエアゾール毛髪化粧料。
【請求項５】
毛髪処理剤が皮膜形成性樹脂を含有する請求項１〜４のいずれかに記載のエアゾール毛髪化粧料。
【請求項６】
毛髪処理剤がシリコーン誘導体を含有する請求項１〜５のいずれかに記載のエアゾール毛髪化粧料。
【請求項７】
毛髪処理剤が、皮膜形成性樹脂０．１〜１０重量％、炭素数１〜３の低級一価アルコール３０〜７０重量％及び噴射剤３０〜７０％を含有する請求項５又は６記載のエアゾール毛髪化粧料。
【請求項８】
中央軸方向に内容物の導出路を設けたエアゾールバルブのステムの一端を、エアゾールバルブのハウジング内に挿入し、ガスケットを介して導出路とハウジング内とを連通すると共にステムを外部方向に付勢突出し、このステムの突出部に、外周に係合段部を形成するとともに上端に噴口を設けた噴霧ノズル体を連通接続し、この噴霧ノズル体の周囲に環状の押圧部材を傾斜可能に遊動間隔を設けて嵌合し、押圧部材の係合部を噴霧ノズル体の係合段部に突当てるとともにスプレー容器に固定した固定体の環状の係合受フランジに、押圧部材の係合部よりも外周方向に設けた押圧部材の係合フランジを係合可能とした構造の上向噴射用容器をスプレー容器として使用する請求項１〜７のいずれかに記載のエアゾール毛髪化粧料。
【請求項９】
請求項１〜８のいずれかに記載のエアゾール毛髪化粧料の噴霧ノズル体の先端部をヘアスタイルの内部に挿入した後に、毛髪処理剤を毛髪にスプレーすることを特徴とする毛髪セット方法。
【発明の詳細な説明】
【０００１】
【産業上の利用分野】
本発明は、毛髪処理剤がエアゾールバルブを備えたスプレー容器に充填された毛髪化粧料に関する。より詳しくは、内容物である毛髪処理剤を上向きに噴射することのできる毛髪化粧料に関する。
【０００２】
【従来の技術】
従来より、仕上がったヘアスタイルを保持するために、そのヘアスタイルの表面全体をネット状に固定する機能を有する皮膜形成性樹脂を含有する毛髪処理剤がスプレー容器に充填されたエアゾールヘアスプレー製品が広く使用されている。このようなエアゾールヘアスプレー製品においては、スプレー容器の底面に対して垂直方向に噴口が開口しているステムに、スプレー方向を垂直方向から水平方向に偏向させる誘導路を有する押圧部材（押しボタン）を嵌合させたプッシュダウンバルブが使用されており、その押圧部材を指等で押し込むことにより、毛髪処理剤がスプレー製品から水平方向にスプレーされる。
【０００３】
しかし、上述のような従来のエアゾールヘアスプレー製品の場合、ヘアスタイルの表面をネット状に固める（セットする）ため、手で触った時にゴワゴワしたりあるいはベタついたりする好ましくない感触があった。そこで、皮膜形成性樹脂としてより柔軟性の高いものを使用したり、油性成分の添加量を増加させたりすることで感触の改善が図られているが、ヘアスタイルの表面をネット状に固定することに変りはないために根本的な解決には至らず、依然としてヘアスタイル表面に自然な感触を付与でき、且つセットが長持ちするエアゾールヘアスプレー製品が求められている。
【０００４】
そこで、表面の感触及び外観を自然のままの状態に維持し、しかもセットを長時間保持するために、ヘアスタイルの表面ではなくその内側に毛髪処理剤をスプレーし、その内側を固定することが試みられている。しかし、スプレー方向がスプレー容器の底面に対し水平方向であるエアゾールヘアスプレー製品の場合には、噴口をヘアスタイルの内側に入れようとすると、スプレー容器自体が頭部にぶつかってしまうという問題があり、十分に噴口をヘアスタイルの内部に入れることができないという問題がある。また、噴口を無理にヘアスタイルの内側に入れるためにスプレー容器を大きく横に傾けたりあるいは逆様にしたりすると、噴射ボタンを指で押しにくくなったり、また、噴射剤のみが噴出して毛髪処理剤が殆ど噴射されないという噴霧不良が生じるという問題もある。
【０００５】
このため、毛髪処理剤を充填するためのスプレー容器として、スプレー方向が上方となるように、噴口がスプレー容器の底面に対して垂直方向に設けられているものを使用することが試みられている。ここで、スプレー方向が上方となる従来のスプレー容器としては、スプレー容器のエアゾールバルブのステムを側面から押圧し、このステムを傾斜させることによって容器に収納されている内容物を上方に噴射させることのできるチルトバルブを備えたものが知られている。また、梃の原理を応用したハンドルを握ることにより開弁する機構を有する上方噴霧用のプッシュダウンバルブを備えたものも知られている（実開昭５１−７９７１３号公報、実公平２−９９０９号公報、実公平２−１５５７９号公報）。この場合、ハンドルはスプレー容器の上面又は側面の特定の一か所に吐出するように設けられている。
【０００６】
【発明が解決しようとする課題】
しかしながら、チルトバルブを備えたスプレー容器を使用した毛髪化粧料の場合、噴霧させるために要する側面からの押し圧が高く、強い力が必要であり、またステムガスケット部分の密着性が弱く、機密性が不十分であるという問題があった。また、上方噴霧用のプッシュダウンバルブを備えたスプレー容器を使用した毛髪化粧料の場合、手を大きく開いて握らなければならず女性や子供などには非常に使い難いものであった。また、ハンドルの位置が特定の箇所に制限されているために、ヘアスタイルに対し任意の角度と方向で噴霧することが非常に困難であるという問題もあった。
【０００７】
本発明は、以上のような従来技術の課題を解決しようとするものであり、ヘアスタイルの内側に、毛髪処理剤を任意の角度と方向から簡便に噴霧できるような毛髪化粧料を提供することを目的とする。
【０００８】
【課題を解決するための手段】
本発明者らは、噴射方向がスプレー容器の長手方向、即ち、スプレー容器の上方方向となるように、噴霧ノズル体の噴口の軸方向をスプレー容器の長手方向に対して０度以上９０度未満の範囲に設け、更に、毛髪処理剤を任意の角度と方向から簡便に噴霧できるようにエアゾールバルブを開弁するための押圧部材を、噴霧ノズル体の周囲に設けることにより上述の目的を達成できることを見出し、本発明を完成させるに至った。
【０００９】
即ち、本発明は、毛髪処理剤がエアゾールバルブを備えたスプレー容器に充填されたエアゾール毛髪化粧料であって、スプレー方向がスプレー容器の上方となるように、エアゾールバルブのステムに連通接続された噴霧ノズル体の噴口の軸方向がスプレー容器の長手方向に対して０度以上９０度未満の範囲に設けられており、該噴霧ノズル体の周囲に環状の押圧部材が設けられており、該噴霧ノズル体の先端部が押圧部材の押圧面より少なくとも５ｍｍ以上突出しており、該エアゾールバルブのハウジング孔径（Ｈｇ）とベーパータップ孔径（Ｖｔ）との比（Ｈｇ／Ｖｔ）が１．０〜２．５であり、そして該押圧部材の上面である押圧面の任意の部位を押圧することにより噴口から毛髪処理剤がスプレーされることを特徴とするエアゾール毛髪化粧料を提供する。
【００１０】
【作用】
本発明の毛髪化粧料によれば、毛髪処理剤の噴射方向がスプレー容器の長手方向、即ち、スプレー容器の上方となるように、噴霧ノズル体の噴口の軸方向がスプレー容器の長手方向に対して０度以上９０度未満の範囲に設けられている。更に、毛髪処理剤を任意の角度と方向とから簡便に噴霧できるようにエアゾールバルブを開弁するための押圧部材が噴霧ノズル体の周囲に設けられている。従って、ヘアスタイルの内側に、毛髪処理剤を任意の角度と方向とから簡便に毛髪処理剤を噴霧することが可能となる。
【００１１】
【実施例】
以下、本発明を図面を参照しながら詳細に説明する。
【００１２】
図１は、本発明の毛髪化粧料の一つの好ましい態様の斜視図である。この毛髪化粧料においては、スプレー容器１の耐圧容器２に毛髪処理剤が充填されている。また、スプレー容器１の上部にはエアゾールバルブ（図示せず）が設けられている。また、そのエアゾールバルブのステムには、噴霧ノズル体３が連通接続されており、その先端にはスプレー容器の長手方向を向いた噴口４が設けられている。そして、噴霧ノズル体３の周囲には環状の押圧部材５が設けられており、押圧部材５は内部で噴霧ノズル体３の下部と耐圧容器２に固定された固定体６とにより保持されている。
【００１３】
図１の毛髪化粧料を噴霧する場合には、押圧部材５の上面である押圧面５ａの任意の部位を図中の矢印方向に押し下げる。すると、押圧部材５は固定体６の内壁に沿って押し込まれる。それによりバルブが開弁して噴口４から毛髪処理剤が上方に向かってスプレーされる。なお、毛髪処理剤のスプレーを中止するためには、押圧部材５への押圧力を解除すればよい。
【００１４】
ここで、噴射ノズル体３の先端部は、押圧部材５の押圧面５ａより外部に突出していなくてもよいが、外部に突出している方が、ヘアスタイルの内側にスプレーしやすくなり、しかも意図した方向へスプレーしやすくなるので好ましい。この場合、５ｍｍ以上突出していることがより好ましい。また、噴霧ノズル体３の外部に突出している先端部分は、その部分の角度をスプレー容器の長手方向に対して０度以上９０度未満の範囲で段階的好ましくは無段階的に可変できるようにすることが、スプレー方向の自由度を向上させる点から好ましい。
【００１５】
なお、スプレー容器１の大きさについては、特に限定されるものではないが、手に持って噴霧する際の操作性の点から、高さｈを好ましくは１８ｃｍ以下、より好ましくは１５ｃｍ以下とする。また、エアゾール容器の直径Ｒについても、好ましくは４６ｍｍ以下とする。
【００１６】
また、エアゾールバルブのハウジング孔径とベーパータップ孔径とについても、それらは特に限定されるものではないが、上向き及び下向き等の任意の傾き位置での良好なスプレー特性を維持するために、ハウジング孔径（Ｈｇ）とベーパータップ孔径（Ｖｔ）との比（Ｈｇ／Ｖｔ）を好ましくは１．０〜２．５、より好ましくは１．５〜２．０とする。
【００１７】
バルブのハウジングに嵌合させるディップチューブについても、特に限定されるものではないが、任意の角度と方向とで容易にスプレー可能とする点から、公知の重り付ディップチューブを使用することが好ましい。
【００１８】
本発明の毛髪化粧料において使用する毛髪処理剤には、毛髪のセット性を高めるために皮膜形成性樹脂を配合することが好ましい。このような皮膜形成性樹脂としては、公知の材料から毛髪化粧料の使用目的に応じて適宜選択して使用することができる。また、更に、より自然な感触を得るためにシリコーン誘導体を使用することができる。
【００１９】
なお、このような毛髪処理剤の配合組成としては、皮膜形成性樹脂を好ましくは０．１〜１０重量％、より好ましくは１〜５重量％、メタノール、エタノール、イソプロパノール等の炭素数１〜３の低級一価アルコールを好ましくは３０〜７０重量％、より好ましくは４０〜６０重量％及び液化石油ガス（ＬＰＧ）又はジメチルエーテル等の等の液化ガスなどの噴射剤を好ましくは３０〜７０％、より好ましくは４０〜６０重量％とする。
【００２０】
本発明の毛髪化粧料は、常法にしたがって製造することができる。また、その使用方法の例としては、毛髪処理剤としてセット性の高い成分を含有する毛髪処理剤を使用した毛髪化粧料の噴霧ノズル体の先端部をヘアスタイルの内部に挿入した後に、毛髪処理剤を毛髪にスプレーするという毛髪セット方法を好ましく挙げることができる。この毛髪セット方法によれば、ヘアスタイルの表面に毛髪処理剤のスプレーされる量が従来に比べはるかに少ないので、表面をベタつかせずに自然な感触に仕上げることができる。しかも、セットが長持ちする。
【００２１】
次に、本実施例において使用する具体的なスプレー容器について図２を用いて説明する。
【００２２】
このスプレー容器においては、耐圧容器１００の上端に目金１０２を介して、マウンテンカップ１０３が巻締められている。また、マウンテンカップ１０３の中央部には、ガスケット１０４を介してハウジング１０５が固定され、このハウジング１０５内にステム１０６が挿入されている。
【００２３】
このステム１０６には、中央軸方向にエアゾール内容物の導出路１０７が形成されている。また、ステム１０６は、ハウジング１０５の下壁１０９との間に介装した発条１０８の付勢力により、外部方向に押圧付勢されている。この発条１０８の押圧付勢状態において、導出路１０７とハウジング１０５内を接続するオリフィス１１０は、未使用状態でガスケット１０４により密閉閉止されている。
【００２４】
また、ステム１０６の上端部は、発条１０８の付勢力によりハウジング１０５から外部に突出している。このステム１０６の突出部１１１には、噴霧ノズル体１１２が接続固定されている。この噴霧ノズル体１１２は、耐圧容器１００との間に、ステム１０６の押下げ間隔１１３を介して接続され、しかもその上端に垂直方向に向いた噴口１１４ａを有するノズル１１４が固定されている。このノズル１１４とステム１０６の導出路１０７とは、噴出路１１５により接続されている。
【００２５】
また、噴霧ノズル体１１２には、その外周に係合段部１１６が形成されている。この係合段部１１６には、環状の押圧部材１１７の係合部１１８を係合させることにより、噴霧ノズル体１１２の外周に押圧部材１１７が接続されている。この押圧部材１１７は、その中央部に噴霧ノズル体１１２を貫通する挿入口１２０が形成されている。この挿入口１２０は、ノズル体１１２を挿入した状態において、押圧部材１１７が傾斜可能となるように、ノズル１１４の直径よりも大きな直径に設定され、噴霧ノズル体１１２との間に遊動間隔１２１を形成するように構成されている。また、この挿入口１２０は、押圧部材１１７の傾斜が容易となるように、その上端部の内径が下端部の内径より大きくなるように設定されている。
【００２６】
また、この押圧部材１１７は、その下端の外周に環状の係合フランジ１２２が突出するように形成されている。そして、この係合フランジ１２２は、耐圧容器１００の上端に固定した固定体１２３の係合受フランジ１２４の下面に係合可能となっている。この固定体１２３の係合受フランジ１２４も環状に形成し、ノズル体１１２の方向に突出している。また、押圧部材１１７には、押圧部材１１７の押圧が容易なものとなるように、挿入口１２０を構成する環状壁１２５の外周に傘状部材１２６が固定されている。
【００２７】
以上説明したような構造のスプレー容器に、表１の配合の毛髪処理剤を常法に従って充填することにより本発明の毛髪化粧料が得られる。
【００２８】
【表１】
0003551563.tif 000002
【００２９】
次に、この毛髪化粧料から毛髪処理剤を噴射する操作について図３を参照しながら説明する。
【００３０】
即ち、押圧部材１１７の傘状部材１２６の上面である押圧面１１７ａを、その任意の部分を指１２７で下方向に押圧する。この押圧によって、押圧部材１１７は挿入口１２０を、遊動間隔１２１の分だけ傾斜する。その傾斜状態において、係合フランジ１２２が固定体１２３の環状の係合受フランジ１２４の下面に係合する。
【００３１】
この係合状態において、更に押圧部材１１７の押圧面１１７ａを押圧すれば、係合フランジ１２２と係合受フランジ１２４とを支点として、押圧部材１１７の係合部１１８が噴霧ノズル体１１２の係合段部１１６を作用点として押圧し、噴霧ノズル体１１２がステム１０６の内方向に摺動する。この摺動により、ガスケット１０４によるオリフィス１１０の閉止が解除され、毛髪処理剤がオリフィス１１０、導出路１０７、噴霧ノズル体１１２の噴出路１１５を介してノズル１１４の噴口１１４ａから上部方向に噴出する。
【００３２】
このように、本実施例の毛髪処理剤の場合、その押圧部材１１７の押圧面１１７ａのいずれの部分を押圧しても、環状に設けた係合フランジ１２２と係合受フランジ１２４との係合固定によってステム１０６は押し下げられので、毛髪処理剤を噴射が可能となる。従って、毛髪処理剤の噴射の際に、耐圧容器１００の保持に方向性を伴うことがなく、簡易な噴射が可能となる。
【００３３】
また、毛髪処理剤の噴射を中止するには、押圧部材１１７の押圧面１１７ａへの押圧を解除すればよく、これによりステム１０６は発条１０８の復元力によって元位置に復元し、オリフィス１１０がガスケット１０４により閉止され、毛髪処理剤の噴射が止まる。
【００３４】
なお、図２及び図３においては、噴霧ノズル体１１２の先端部が、スプレー容器の底面の垂直方向に突出した態様を例示したが、本発明の毛髪化粧料は、それに限定されず、図４に示すように、噴霧ノズル体１１２の先端部がスプレー容器の底面の垂直方向に対して０度以上９０度未満の範囲で傾いた態様も含む。
【００３５】
また、図２及び図３においては、噴霧ノズル体１１２の先端部が押圧部材１１７の外部に突出た態様を説明したが、本発明の毛髪化粧料はそれに限定されず、図５に示すように、噴霧ノズル体１１２の噴口１１４ａが、挿入口１２０の上端１２０ａよりステム１０６側に位置するような態様も含む。この場合、噴霧ノズル体１１２の先端部が押圧部材１１７の押圧面１１７ａに対してその距離ｄが少なくとも５ｍｍ以上となるように突出ていることが好ましい。
【００３６】
【発明の効果】
本発明によれば、スプレー容器に充填された毛髪処理剤を噴射する際に、スプレー容器の保持方向や押圧方向を特定することなく、任意の方向から毛髪処理剤を上向きに噴射することができる。
【図面の簡単な説明】
【図１】本発明の毛髪化粧料の実施例の外観斜視図である。
【図２】本発明の毛髪化粧料の実施例に使用するスプレー容器の部分断面図である。
【図３】毛髪化粧料から毛髪処理剤の噴射状態を示す部分断面図である。
【図４】本発明の毛髪化粧料の他の実施例に使用するスプレー容器の部分断面図である。
【図５】本発明の毛髪化粧料の他の実施例に使用するスプレー容器の部分断面図である。
【符号の説明】
１      毛髪化粧料
２，１００  耐圧容器
１０５  ハウジング
１０６  ステム
１０７  導出路
３、１１２  噴霧ノズル体
１１４  ノズル
１１６  係合段部
５、１１７  押圧部材
１１８  係合部
１２１  遊動間隔
１２２  係合フランジ
１２３  固定体
１２４  係合受フランジ
【図１】
0003551563.tif 000003
【図２】
0003551563.tif 000004
【図３】
0003551563.tif 000005
【図４】
0003551563.tif 000006
【図５】
0003551563.tif 000007